(57)【要約】【課題】  小型軽量でかつローコストで、鳥類の大小に関係なく防鳥を確実に可能とした屋外カメラ旋回装置を提供する。【解決手段】  プロペラ１０による回転式の防鳥機構を設けるが、このとき、鳥類に対して殺傷の危険を与えないようにし、また駆動エネルギをできるだけ少なくするために、金属製ではなく、発砲スチロールなどの柔軟な材質を用いてプロペラ１０を構成する。これにより、風力を用いた駆動が可能となり、また電池や太陽電池を用いたモータ駆動としても、エネルギは極力少なくできる。【選択図】      図１                                                  
2005312330.tif 000002
【特許請求の範囲】
【請求項１】
柔軟な材質からなる回転体の防鳥機構を有することを特徴とする屋外カメラ旋回装置。
【請求項２】
前記回転体は発砲スチロール製であることを特徴とする請求項１記載の屋外カメラ旋回装置。
【請求項３】
前記回転体の駆動源として、風力、電池、太陽電池、装置への供給電源のいずれかを用いたことを特徴とする請求項１または２記載の屋外カメラ旋回装置。
【請求項４】
前記回転体を複数設けたことを特徴とする請求項１〜３いずれか記載の屋外カメラ旋回装置。
【請求項５】
前記回転体はプロペラ状であることを特徴とする請求項１〜４いずれか記載の屋外カメラ旋回装置。
【発明の詳細な説明】
【技術分野】
【０００１】
本発明は屋外カメラ旋回装置に関し、特に防鳥機構を有する屋外カメラ旋回装置に関するものである。
【背景技術】
【０００２】
屋外にカメラを設置して、このカメラを遠隔操作により旋回制御するために、屋外一体型カメラ旋回装置がある。このようなカメラ旋回装置に野鳥が降り立ったり、飛び立ったりすることにより、装置の可動制御ができなくなることがある。特に、鳥が飛び立つ瞬間に装置に加わる力は非常に強いものとなり、その鳥の体重の数倍にも及ぶことがある。
【０００３】
また、鳥が装置に止まることにより、鳥の糞害も無視できないものである。例えば、カメラ旋回装置の可動部分に、鳥の糞が蓄積することにより、可動が困難になったり、また装置表面が化学的に変化して腐食し、内部のカメラに対して悪影響を及ぼすなどの害が生じる。
【０００４】
そのために、屋外一体型カメラ旋回装置に対して、鳥が降り立ったり、飛び立ったりするときに加わる力に耐える設計が必要であり、また鳥が装置に降り立つことができないような対策を施すことが必要となる。後者の対策としては、装置表面に、鳥が止まりにくいようなギザギザの機構を付加したり、先が尖った針状の金属を多数設けるなどの対策がとられている。
【０００５】
他の対策としては、例えば、特許文献１に開示されているものがある。すなわち、鳥類の多くが局所的に形成された変動磁場を嫌悪するという性質を利用して、永久磁石を用いた防鳥装置が開示されている。
【特許文献１】特開平８−２１４７６３号公報
【発明の開示】
【発明が解決しようとする課題】
【０００６】
特許文献１に開示の構成では、永久磁石を用いており、よってその材質は金属となるために、重量が大となり、また変動磁場を生成するために、この永久磁石を回転駆動する駆動源として、パワーが強力なものが必要になり、コスト的にもまた省エネルギという点でも、得策では無い。また、重量が大なる永久磁石を回転させるものであるから、鳥類に対して殺傷を与える危険性もある。
【０００７】
また、装置表面に鳥が止まりにくいギザギザの機構や、針状のものを設ける構造では、装置の外観を損ねるという欠点があり、また大小すべての鳥に対して対応することは困難であって、完全な防鳥対策とはなり得ない。また、装置を設置場所で取付ける際に、作業員の安全性にも問題があり、装置を取付ける位置などによっては、作業員が怪我をする危険性を有している。
【０００８】
本発明の目的は、小型軽量でかつローコストで、鳥類の大小に関係なく防鳥を確実に可能とした屋外カメラ旋回装置を提供することである。
【０００９】
本発明の他の目的は、駆動エネルギをできるだけ小として環境問題に配慮した屋外カメラ旋回装置を提供することである。
【００１０】
本発明の更に他の目的は、外観を損なうことなく、また作業員の安全性を確保することが可能な屋外カメラ旋回装置を提供することである。
【課題を解決するための手段】
【００１１】
本発明による屋外カメラ旋回装置は、金属よりも柔軟な材質からなる回転体の防鳥機構を有することを特徴とする。そして、前記回転体は発砲スチロール製であることを特徴とする。
【００１２】
また、前記回転体の駆動源として、風力、電池、太陽電池、装置への供給電源のいずれかを用いたことを特徴とし、前記回転体を複数設けたことを特徴とする。そして、前記回転体はプロペラ状であることを特徴とする。
【００１３】
本発明の作用を述べる。回転式の防鳥機構を設けるが、このとき、鳥類に対して殺傷の危険を与えないようにし、また駆動エネルギをできるだけ少なくするために、金属製ではなく、発砲スチロールなどの柔軟な材質を用いて回転体を構成する。これにより、風力を用いた駆動が可能となり、また電池や太陽電池を用いたモータ駆動としても、エネルギは極力少なくできることになる。
【発明の効果】
【００１４】
本発明によれば、金属よりも柔軟な材質の回転体により防鳥機構を実現するので、鳥類への危険性も少なく、また現地での取付け時における作業員の安全性も確保できるという効果がある。また、ローコストでかつ省エネルギで、防鳥が可能になるという効果もある。更にはまた、装置の外観を損なうことなく、安価で確実に防鳥が可能になるという効果もある。
【発明を実施するための最良の形態】
【００１５】
以下に、図面を参照しつつ本発明の一実施の形態について説明する。図１は本発明の一実施の形態を示す屋外カメラ旋回装置の斜視図である。図１を参照すると、本発明の一実施の形態による屋外カメラ旋回装置は、カメラ（図示せず）を収納する旋回自在な本体３０と、本体３０の上部に設けられた回転体であるプロペラ１０と、このプロペラ１０を駆動するためのモータ２０とを有して構成されている。
【００１６】
このプロペラ１０の材質としては、鳥類や作業員に対して傷などを与えることがない柔軟な材質を用いる。例えば、発砲スチロールが好適である。従ってプロペラ１０は軽量化が可能であり、モータ２０のパワーも極力小とすることができ、電池を用いた場合でも、その取り替え周期を長くすることができ、また装置へ供給される外部電源を用いても良いし、太陽電池を用いても良い。
【００１７】
更には、モータ２０を用いることなく、風力のみでプロペラ１０を回転駆動させる構成とすることもできる。風力や太陽電池、更には一般の電池を用いる場合は、電源の供給を受けることができない場所に適している。
【００１８】
図２は本発明の他の実施の形態の斜視図であり、図１と同等部分は同一符号にて示している。本例では、回転体であるプロペラが複数個（１０ａ〜１０ｄ）配置されており、これらプロペラ１０ａ〜１０ｄの各々に、駆動モータ２０ａ〜２０ｄが設けられている。なお、駆動エネルギが風力の場合には、これら駆動モータ２０ａ〜２０ｄは不要であることは明白である。
【００１９】
このように、プロペラを複数個配置することにより、図１の例に比較して、プロペラを小型化することができ、よって本体３０の上面の幅からはみ出すことがない寸法のプロペラに選定できるので、外観上も、図１の例に比較して良好となる。また、１つのプロペラが故障しても、他のプロペラの回転により、防鳥機能は損なわれることはないという利点もある。
【図面の簡単な説明】
【００２０】
【図１】本発明の一実施の形態の斜視図である。
【図２】本発明の他の実施の形態の斜視図である。
【符号の説明】
【００２１】
１０，１０ａ〜１０ｄ  プロペラ
２０，２０ａ〜２０ｄ  モータ
３０  装置本体
【図１】
2005312330.tif 000003
【図２】
2005312330.tif 000004